(57)【要約】      （修正有）【課題】乳幼児にブランケット本体を掛けた際に乳幼児から人形を見やすくする人形付ブランケットを提供する。【解決手段】ブランケット本体２と、ブランケット本体２に立設されるようにブランケット本体２に取り付けられた人形３と、を備える。人形３は、ブランケット本体２に向かうに従い太くなってブランケット本体２に取り付けられる土台部３１と、土台部３１から延びる人形部３２と、を有する。また、人形３は、ブランケット本体に対して傾斜している。これにより、乳幼児にブランケット本体２を掛けた際に乳幼児から人形３を見やすくすることができる。【選択図】図１
0003221248.tif 000002
【実用新案登録請求の範囲】
【請求項１】
ブランケット本体と、
前記ブランケット本体に立設されるように前記ブランケット本体に取り付けられた人形と、を備える、
人形付ブランケット。
【請求項２】
前記人形は、前記ブランケット本体に向かうに従い太くなって前記ブランケット本体に取り付けられる土台部と、前記土台部から延びる人形部と、を有する、
請求項１に記載の人形付ブランケット。
【請求項３】
前記人形部は、前記土台部から延びる首部と、前記首部の先端に取り付けられる顔部と、を有する、
請求項２に記載の人形付ブランケット。
【請求項４】
前記ブランケット本体に対する前記顔部の中央の高さは、１０ｃｍ以上２０ｃｍ以下である、
請求項３に記載の人形付ブランケット。
【請求項５】
前記人形部は、前記ブランケット本体に対して傾斜している、
請求項２〜４の何れか一項に記載の人形付ブランケット。
【請求項６】
前記ブランケット本体に対する前記人形部の傾斜角度は、４５°以上６０°以下である、
請求項５に記載の人形付ブランケット。
【請求項７】
前記ブランケット本体に取り付けられた引張玩具を更に備え、
前記引張玩具は、前記ブランケット本体に取り付けられた弾性伸縮可能な紐状部と、前記紐状部の前記ブランケット本体とは逆側の端部に配置される把持部と、を有する、
請求項１〜６の何れか一項に記載の人形付ブランケット。
【請求項８】
前記ブランケット本体に内包されたフィルムと、
前記ブランケット本体を他部材に取り付けるための取付用紐と、を更に備え、
前記ブランケット本体は、前記ブランケット本体の長さ方向において第一領域と第二領域とに分けられており、
前記人形及び前記取付用紐は、前記第一領域に取り付けられており、
前記フィルムは、前記第二領域に内包さている、
請求項１〜７の何れか一項に記載の人形付ブランケット。
【請求項９】
前記ブランケット本体の、前記人形が取り付けられる部分に対応する裏面対応部分は、球状に膨らんでいる、
請求項１〜８の何れか一項に記載の人形付ブランケット。
【請求項１０】
前記人形は、ぬいぐるみである、
請求項１〜９の何れか一項に記載の人形付ブランケット。
【考案の詳細な説明】
【技術分野】
【０００１】
本考案は、ブランケット本体に人形が取り付けられた人形付ブランケットに関する。
【背景技術】
【０００２】
特許文献１には、ぬいぐるみ玩具の首部をブランケットの中央の上縁部に結着した子供用ブランケットが記載されている。この子供用ブランケットでは、ぬいぐるみ玩具の首から下の体の部分がブランケットの上縁部からぶら下がった形になり、ぬいぐるみ玩具の背面とブランケットの裏側との間に空所が形成される。このため、子供は容易にその空所に両手を差し込んでぬいぐるみ玩具を抱っこすることができる。また、この子供用ブランケットでは、ぬいぐるみ玩具の頭部がブランケットの上縁部の上方から突出する。このため、子供の膝と肩をこのブランケットで覆うと、ぬいぐるみ玩具の表面は子供の顔に向けられるため、子供はぬいぐるみ玩具と顔を合わせることができる。
【先行技術文献】
【特許文献】
【０００３】
【特許文献１】実用新案登録第３２０４１３６号公報
【考案の概要】
【考案が解決しようとする課題】
【０００４】
しかしながら、乳幼児は、ぬいぐるみ玩具との距離を上手く調整することができない。特に乳児は、ぬいぐるみ玩具を抱っこすることすらできない。このため、乳幼児にこの子供用ブランケットを掛けると、ぬいぐるみ玩具の頭部が乳幼児の顔に近づき過ぎたり当たったりする可能性がある。その結果、乳幼児は、ぬいぐるみ玩具を見難くなり、しかも、不快に感じる恐れもある。
【０００５】
本考案は、ブランケット本体に人形が取り付けられた人形付ブランケットにおいて、乳幼児にブランケット本体を掛けた際に乳幼児から人形を見やすくすることができる人形付ブランケットを提供することを目的とする。
【課題を解決するための手段】
【０００６】
本考案に係る人形付ブランケットは、ブランケット本体と、ブランケット本体に立設されるようにブランケット本体に取り付けられた人形と、を備える。
【０００７】
この人形付ブランケットでは、ブランケット本体に人形が立設されるようにブランケット本体に人形が取り付けられているため、ブランケット本体を乳幼児に掛けた際に、乳幼児の顔から人形までに適度な間隔をあけることができる。これにより、乳幼児から人形を見やすくすることができ、乳幼児の興味を大きくすることができる。
【０００８】
人形は、ブランケット本体に向かうに従い太くなってブランケット本体に取り付けられる土台部と、土台部から延びる人形部と、を有してもよい。この人形付ブランケットでは、ブランケット本体に向かうに従い太くなる土台部がブランケット本体に取り付けられており、この土台部から人形部が延びるため、ブランケット本体に対して人形を安定して立設させることができる。
【０００９】
人形部は、土台部から延びる首部と、首部の先端に取り付けられる顔部と、を有してもよい。この人形付ブランケットでは、土台部から延びる首部の先端に顔部が取り付けられるため、人形部の顔部を高く配置させることができる。これにより、ブランケット本体を乳幼児に掛けた際に、乳幼児から人形の顔を見やすくすることができる。
【００１０】
ブランケット本体に対する顔部の中央の高さは、１０ｃｍ以上２０ｃｍ以下であってもよい。この人形付ブランケットでは、ブランケット本体に対する顔部の中央の高さが１０ｃｍ以上２０ｃｍ以下であるため、ブランケット本体を乳幼児に掛けた際に、乳幼児の目線に顔部が配置されやすくなる。
【００１１】
人形部は、ブランケット本体に対して傾斜していてもよい。この人形付ブランケットでは、人形部がブランケット本体に対して傾斜しているため、ブランケット本体を乳幼児に掛けた際に、人形部を乳幼児に向けることができる。これにより、乳幼児から人形部を更に見やすくすることができる。
【００１２】
ブランケット本体に対する人形部の傾斜角度は、４５°以上６０°以下であってもよい。この人形付ブランケットでは、ブランケット本体に対する人形部の傾斜角度が４５°以上６０°以下であるため、ブランケット本体を乳幼児に掛けた際に、乳幼児と人形部とが向き合いやすくすることができる。
【００１３】
ブランケット本体に取り付けられた引張玩具を更に備え、引張玩具は、ブランケット本体に取り付けられた弾性伸縮可能な紐状部と、紐状部のブランケット本体とは逆側の端部に配置される把持部と、を有してもよい。この人形付ブランケットでは、ブランケット本体に接続された引張玩具が、ブランケット本体に接続されて弾性伸縮可能な紐状部と、紐状部のブランケット本体とは逆側の端部に配置される把持部と、を有するため、乳幼児が把持部を引っ張って離すことで、紐状部の弾性伸縮によりブランケット本体が動き、これに伴い人形が揺れる。これにより、乳幼児の興味を更に大きなものとすることができる。
【００１４】
ブランケット本体に内包されたフィルムと、ブランケット本体を他部材に取り付けるための取付用紐と、を更に備え、ブランケット本体は、ブランケット本体の長さ方向において第一領域と第二領域とに分けられており、人形及び取付用紐は、第一領域に取り付けられており、フィルムは、第二領域に内包さていてもよい。この人形付ブランケットでは、ブランケット本体にフィルムが内包されているため、乳幼児が蹴る等してブランケット本体を動かすことで、フィルムの擦れや折れ曲がり等に起因するパリパリ音（カシャカシャ音）が発生する。これにより、乳幼児の興味を更に大きなものとすることができる。また、この人形付ブランケットでは、人形及び取付用紐がブランケット本体の第一領域に取り付けられているため、取付用紐を他部材に取り付けることで、第一領域が他部材に拘束されて、人形が立った状態に保持されやすくなる。一方、取付用紐を他部材に取り付けても、ブランケット本体の第二領域は他部材に拘束されにくいため、乳幼児が自由に足を動かすことができる。しかも、乳幼児が足を動かして第二領域を蹴ることで、第二領域に内包されたフィルムからパリパリ音（カシャカシャ音）を発生させることができる。
【００１５】
ブランケット本体の、人形が取り付けられる部分に対応する裏面対応部分は、球状に膨らんでいてもよい。この人形付ブランケットでは、ブランケット本体の人形が取り付けられる部分に対応する裏面対応部分が球状に膨らんでいるため、ブランケット本体を乳幼児に掛けた際に、人形が揺れやすくなる。これにより、乳幼児の興味を更に大きなものとすることができる。
【００１６】
人形は、ぬいぐるみであってもよい。この人形付ブランケットでは、人形がぬいぐるみであるため、縫製や接着等により、人形を容易にブランケット本体に取り付けることができる。しかも、誤って人形が乳幼児に当たっても、乳幼児は痛くならない。
【考案の効果】
【００１７】
本考案によれば、乳幼児にブランケット本体を掛けた際に乳幼児から人形を見やすくすることができる。
【図面の簡単な説明】
【００１８】
【図１】実施形態の人形付ブランケットの斜視図である。
【図２】実施形態の人形付ブランケットの正面図である。
【図３】実施形態の人形付ブランケットの側面図である。
【図４】実施形態の人形付ブランケットの底面図である。
【図５】変形例の人形付ブランケットの側面図である。
【図６】変形例の人形付ブランケットの側面図である。
【図７】人形の縦断面図である。
【図８】把持部材を示す図であり、（ａ）は平面図、（ｂ）は断面図である。
【図９】図３に示す人形付ブランケットの使用態様を示す斜視図である。
【図１０】図５に示す人形付ブランケットの使用態様を示す斜視図である。
【考案を実施するための形態】
【００１９】
以下、図面を参照して、本考案に係る人形付ブランケットの好適な実施形態について詳細に説明する。なお、図面中の同一又は相当部分には同一符号を付すこととする。
【００２０】
図１〜図４に示すように、本実施形態の人形付ブランケット１は、ブランケット本体２と、人形３と、取付用紐４と、引張玩具５と、フィルム６と、を備える。
【００２１】
ブランケット本体２は、乳幼児に掛けて乳幼児の体や手足を覆うためのものである。ブランケット本体２は、乳幼児に掛けることができるように、柔らかい布状部材により構成されている。ブランケット本体２としては、例えば、タオルケット、毛布、フリース等を用いることができる。
【００２２】
ブランケット本体２は、ブランケット本体２の長さ方向Ｄ（図１参照）において、第一領域２１と第二領域２２とに分けられている。ブランケット本体２の長さ方向Ｄとは、ブランケット本体２を乳幼児に掛けた際に、乳幼児の身長方向となる方向をいう。第一領域２１は、ブランケット本体２を乳幼児に掛けた際に、乳幼児の頭側に配置される領域であり、第二領域２２は、ブランケット本体２を乳幼児に掛けた際に、乳幼児の足側に配置される領域である。
【００２３】
第一領域２１及び第二領域２２の形状、第一領域２１と第二領域２２との境界の形状等は、特に限定されない。本実施形態では、第一領域２１及び第二領域２２は、略矩形状に形成されており、第二領域２２は、第一領域２１の反対側の角が大きく丸まっている。また、第一領域２１と第二領域２２とは、直線状に延びる縫い目Ｓにより分けられている。
【００２４】
人形３は、人や動物等を模した玩具である。図面では、キリンを模した人形の玩具を示している。人形３は、樹脂や木により人や動物等を模した玩具であってもよいが、ぬいぐるみにより人や動物等を模した玩具であることが好ましい。ぬいぐるみは、縫製した布に綿等の詰物を詰め込むことで、人や動物等の所定の形に形成したものである。本実施形態では、人形３はぬいぐるみであるものとして説明する。
【００２５】
人形３は、ブランケット本体２に立設されるようにブランケット本体２に取り付けられている。人形３がブランケット本体２に立設されようにブランケット本体２に取り付けられているとは、ブランケット本体２を平面上に載置する等して平らにした際に、人形３が立った状態となるように、人形３がブランケット本体２に取り付けられていることをいう。つまり、人形３は、ブランケット本体２の一方の面に取り付けられており、ブランケット本体２から起き上がるように延びている。ブランケット本体２の一方の面とは、ブランケット本体２の表裏面のうち、ブランケット本体２を乳幼児に掛けた際に乳幼児とは反対側となる面である。ブランケット本体２に対する人形３の取り付けは、例えば、縫製、接着等により行うことができる。
【００２６】
人形３は、ブランケット本体２に取り付けられる土台部３１と、土台部３１から延びる人形部３２と、を備える。
【００２７】
土台部３１は、人形３の土台を成す部分である。土台部３１は、ブランケット本体２に向かうに従い太くなっている。つまり、土台部３１は、ブランケット本体２に対して人形３を安定して立設させるために、ブランケット本体２に向けて裾広がりの形状を成している。土台部３１の形状としては、例えば、円錐台、角錐台等の錐台とすることができる。
【００２８】
人形部３２は、人や動物等を模した部分であり、人形３の本体をなす部分である。なお、土台部３１と人形部３２とを合わせて、人や動物等を模してもよい。土台部３１と人形部３２とは、一体不可分のものであってもよく、別体で構成されて互いに接合されたものであってもよい。後者の場合は、土台部３１と人形部３２とは、例えば、縫製、接着等により接合することができる。
【００２９】
人形部３２は、土台部３１から延びる首部３３と、首部３３の先端に取り付けられる顔部３４と、を有する。
【００３０】
首部３３は、人形３が模した人や動物等の首に対応する部分である。首部３３は、土台部３１に取り付けられている。首部３３は、軽量化を図りつつ、顔部３４を適切に保持する観点から、土台部３１から離れるに従い細くなっていてもよい。
【００３１】
顔部３４は、人形３が模した人や動物等の顔に対応する部分である。顔部３４には、人形３が模した人や動物等の目や口等の顔構成パーツが設けられている。この顔構成パーツは、顔部３４に描かれたものであってもよく、顔部３４に縫製や接着等により取り付けられたものであってもよい。
【００３２】
そして、人形部３２は、ブランケット本体２に対して傾斜するように、土台部３１に取り付けられている。人形部３２がブランケット本体２に対して傾斜しているとは、ブランケット本体２を平面上に載置する等して平らにした際に、ブランケット本体２に対して人形部３２が傾斜していることをいう。
【００３３】
なお、図５に示す人形付ブランケット１Ａのように、人形部３２は、ブランケット本体２に対して傾斜していなくてもよい。図５に示す人形付ブランケット１Ａは、人形部３２がブランケット本体２に対して傾斜していない他は、本実施形態の人形付ブランケット１と同じである。
【００３４】
人形部３２は、土台部３１がブランケット本体２に対して傾斜して取り付けられることで、ブランケット本体２に対して傾斜している。つまり、土台部３１が、円錐台、角錐台等の錐台の下部分が斜めに切断された形状に形成されて、その下端部が、ブランケット本体２に取り付けられており、人形部３２が、土台部３１と同軸上に配置されるように、土台部３１に取り付けられている。
【００３５】
なお、図６に示す人形付ブランケット１Ｂのように、人形部３２は、人形部３２が土台部３１に対して傾斜して取り付けられることで、ブランケット本体２に対して傾斜していてもよい。つまり、土台部３１が、円錐台、角錐台等の錐台に形成してブランケット本体２に取り付けられており、人形部３２が、土台部３１に対して傾斜して取り付けられていてもよい。図６に示す人形付ブランケット１Ｂは、土台部３１がブランケット本体２に対して傾斜しておらず、人形部３２が土台部３１に対して傾斜して取り付けられている他は、本実施形態の人形付ブランケット１と同じである。
【００３６】
そして、ブランケット本体２の、人形３が取り付けられる部分に対応する裏面対応部分２３は、球状に膨らんでいる。この裏面対応部分２３の膨らみは、ブランケット本体２又は人形３に詰物を詰め込むことにより形成してもよく、裏面対応部分２３の膨らみに対応した成形体をブランケット本体２に取り付けることにより形成してもよい。
【００３７】
ここで、図７を参照して、人形３がぬいぐるみである場合について説明する。図７に示すぬいぐるみの人形３は、土台部３１の表皮部分を形成する一対の布３ａと、人形部３２の表皮部分を形成する一対の布３ｂと、一対の布３ａ及び一対の布３ｂに詰め込まれる綿等の詰物３ｃと、を有する。一対の布３ａ及び一対の布３ｂは、互いに縫い合わされており、詰物３ｃは、一対の布３ａ及び一対の布３ｂに詰め込まれており、一対の布３ｂは、ブランケット本体２に縫い合わされている。このため、詰物３ｃは、一対の布３ａ及び一対の布３ｂを膨らませるともに、ブランケット本体２の裏面対応部分２３も膨らませる。つまり、裏面対応部分２３は、人形３に詰め込まれる詰物３ｃにより、球状に膨らんでいる。
【００３８】
図１〜図４に示すように、取付用紐４は、ブランケット本体２をベビーカー、バウンサー等の他部材に取り付けるための紐である。取付用紐４は、ブランケット本体２の第一領域２１に取り付けられている。より具体的には、取付用紐４は、第一領域２１の、第二領域２２とは反対側の二つの隅部に取り付けられている。取付用紐４は、他部材に結びつけることにより他部材に取り付けるものであってもよいが、簡易に取り付ける観点から、面ファスナーの接合により他部材に取り付けるものであることが好ましい。
【００３９】
引張玩具５は、ブランケット本体２に取り付けられて、乳幼児が引っ張ったり離したりして遊ぶ玩具である。より具体的には、引張玩具５は、第一領域２１の、第二領域２２とは反対側の端縁に取り付けられている。
【００４０】
引張玩具５は、ブランケット本体２に接続されて弾性伸縮可能な紐状部５１と、紐状部５１のブランケット本体２とは逆側の端部に配置される把持部５２と、を有する。
【００４１】
紐状部５１は、ゴム紐により構成されていてもよく、布紐にゴム紐を接合したものにより構成されていてもよい。例えば、図８に示す紐状部５１は、袋状の布紐５ａと、ゴム紐５ｂと、を備え、布紐５ａの内側に、ゴム紐５ｂが伸びた状態で縫い合わされている。これにより、紐状部５１は、布紐５ａの長さの範囲で弾性伸縮可能となるとともに、紐状部５１を、捩れるように縮ませることができる。
【００４２】
把持部５２は、乳幼児が掴むための部分である。把持部５２の形状は、特に限定されないが、乳幼児が掴みやすいように、円板状に形成されている。乳幼児の興味を大きくするために、把持部５２に鈴等の音のなる部材を埋め込んでもよく、把持部５２自体を鈴等の音のなる部材により構成してもよい。
【００４３】
フィルム６は、ブランケット本体２に内包されて、乳幼児が蹴ることにより音を発生させるための部材である。より具体的には、フィルム６は、ブランケット本体２の第二領域２２に内包さている。フィルム６は、擦れたり折り曲げられたりすることでパリパリ音（シャカシャカ音）を発生させるコシのあるフィルムである。フィルム６としては、例えば、樹脂シート、グラシン紙、パラフィン紙等を用いることができる。フィルム６の素材としては、例えば、ＰＥＴ等を用いることができる。フィルム６は、単に第二領域２２に内包されるだけでもよく、更にその一部が第二領域２２に縫製、接着等により接合されていてもよい。
【００４４】
人形付ブランケット１を使用する際は、まず、人形３が乳幼児の反対側に配置されるように、ブランケット本体２を乳幼児に掛けて、ブランケット本体２で乳幼児の体及び手足を覆う。場合により、取付用紐４を他部材に取り付ける。これにより、ブランケット本体２で乳幼児を覆うことができるとともに、乳幼児から人形３を見ることができる。
【００４５】
以上説明したように、本実施形態に係る人形付ブランケット１では、ブランケット本体２に人形３が立設されるようにブランケット本体２に人形３が取り付けられているため、ブランケット本体２を乳幼児に掛けた際に、乳幼児の顔から人形３までに適度な間隔をあけることができる。これにより、乳幼児から人形３を見やすくすることができ、乳幼児の興味を大きくすることができる。
【００４６】
また、ブランケット本体２に向かうに従い太くなる土台部３１がブランケット本体２に取り付けられており、この土台部３１から人形部３２が延びるため、ブランケット本体２に対して人形３を安定して立設させることができる。
【００４７】
また、土台部３１から延びる首部３３の先端に顔部３４が取り付けられるため、人形部３２の顔部３４を高く配置させることができる。これにより、ブランケット本体２を乳幼児に掛けた際に、乳幼児から人形３の顔を見やすくすることができる。
【００４８】
この場合、ブランケット本体２に対する顔部３４の中央の高さは、１０ｃｍ以上２０ｃｍ以下であることが好ましく、１０ｃｍ以上１５ｃｍ以下であることが更に好ましい。ブランケット本体２に対する顔部３４の中央の高さは、ブランケット本体２を平面上に載置する等して平らにした際に、ブランケット本体２に対して垂直な方向の高さである。ブランケット本体２に対する顔部３４の中央の高さを１０ｃｍ以上２０ｃｍ以下、更には１０ｃｍ以上１５ｃｍ以下とすることで、ブランケット本体２を乳幼児に掛けた際に、乳幼児の目線に顔部３４が配置されやすくなる。
【００４９】
また、人形部３２がブランケット本体２に対して傾斜しているため、ブランケット本体２を乳幼児に掛けた際に、人形部３２を乳幼児に向けることができる。これにより、乳幼児から人形部３２を更に見やすくすることができる。
【００５０】
この場合、ブランケット本体２に対する人形部３２の傾斜角度θは、４５°以上６０°以下であることが好ましく、４５°以上５５°以下であることが更に好ましい。図３及び図６に示すように、ブランケット本体２に対する人形部３２の傾斜角度θは、ブランケット本体２を平面上に載置する等して平らにした際に、ブランケット本体２に対して人形部３２が傾斜する角度をいう。ブランケット本体２に対する人形部３２の傾斜角度θを４５°以上６０°以下、更に４５°以上５５°以下とすることで、ブランケット本体２を乳幼児に掛けた際に、乳幼児と人形部３２とが向き合いやすくすることができる。
【００５１】
ここで、図９及び図１０を参照して、人形部３２がブランケット本体２に対して傾斜している場合と傾斜していない場合との違いについて説明する。図１０に示す人形付ブランケット１Ａのように、人形部３２がブランケット本体２に対して傾斜していない場合でも、ブランケット本体２を乳幼児に掛けた際に、乳幼児から人形３を容易に見ることができる。しかしながら、図９に示す人形付ブランケット１のように、人形部３２がブランケット本体２に対して傾斜している場合は、ブランケット本体２を乳幼児に掛けた際に、人形３が乳幼児に向くように配置される。このため、人形部３２がブランケット本体２に対して傾斜していない場合に比べて、乳幼児から人形３を容易に見ることができるとともに、乳幼児に、人形部３２と向き合っているように感じさせることができる。
【００５２】
また、ブランケット本体２に接続された引張玩具５が、ブランケット本体２に接続されて弾性伸縮可能な紐状部５１と、紐状部５１のブランケット本体２とは逆側の端部に配置される把持部５２と、を有するため、乳幼児が把持部５２を引っ張って離すことで、紐状部５１の弾性伸縮によりブランケット本体２が動き、これに伴い人形３が揺れる。これにより、乳幼児の興味を更に大きなものとすることができる。
【００５３】
また、ブランケット本体２にフィルム６が内包されているため、乳幼児が蹴る等してブランケット本体２を動かすことで、フィルム６の擦れや折れ曲がり等に起因するパリパリ音（カシャカシャ音）が発生する。これにより、乳幼児の興味を更に大きなものとすることができる。
【００５４】
また、人形３及び取付用紐４がブランケット本体２の第一領域２１に取り付けられているため、取付用紐４を他部材に取り付けることで、第一領域２１が他部材に拘束されて、人形３が立った状態に保持されやすくなる。一方、取付用紐４を他部材に取り付けても、ブランケット本体２の第二領域２２は他部材に拘束されにくいため、乳幼児が自由に足を動かすことができる。しかも、乳幼児が足を動かして第二領域２２を蹴ることで、第二領域２２に内包されたフィルム６からパリパリ音（カシャカシャ音）を発生させることができる。
【００５５】
また、ブランケット本体２の人形３が取り付けられる部分に対応する裏面対応部分２３が球状に膨らんでいるため、ブランケット本体２を乳幼児に掛けた際に、人形３が揺れやすくなる。これにより、乳幼児の興味を更に大きなものとすることができる。
【００５６】
また、人形３がぬいぐるみであるため、縫製や接着等により、人形３を容易にブランケット本体２に取り付けることができる。しかも、誤って人形３が乳幼児に当たっても、乳幼児は痛くならない。
【００５７】
以上、本考案の好適な実施形態について説明したが、本考案は上記実施形態に限定されるものではない。例えば、上記実施形態では、ブランケット本体２、人形３等の形状、構造等について具体的に説明したが、これらは、各請求項の趣旨を逸脱しない範囲において適宜変更することが可能である。また、上記実施形態の人形用ブランケットの各構成要素は、各請求項の趣旨を逸脱しない範囲において、適宜取捨選択することができる。
【符号の説明】
【００５８】
１，１Ａ，１Ｂ…人形付ブランケット、２…ブランケット本体、２１…第一領域、２２…第二領域、２３…裏面対応部分、３…人形、３１…土台部、３２…人形部、３３…首部、３４…顔部、３ａ…布、３ｂ…布、３ｃ…詰物、４…取付用紐、５…引張玩具、５１…紐状部、５２…把持部、５ａ…布紐、５ｂ…ゴム紐、６…フィルム、Ｓ…縫い目。
【図１】
0003221248.tif 000003
【図２】
0003221248.tif 000004
【図３】
0003221248.tif 000005
【図４】
0003221248.tif 000006
【図５】
0003221248.tif 000007
【図６】
0003221248.tif 000008
【図７】
0003221248.tif 000009
【図８】
0003221248.tif 000010
【図９】
0003221248.tif 000011
【図１０】
0003221248.tif 000012